(57)【要約】 【課題】  犯罪者が自由に動き廻ることができない対人用の拘束衣を提供すること。【解決手段】  人の胴体部分及び脚の部分を全体的に包むことができる大きさに形成された前身頃と後身頃と備え、前身頃と後身頃には、下端部の中央部に両身頃を一体的に結合すると共に、左右の脚拘束部分を区別する可撓性の補助用固定ベルを設け、また、拘束する人の左右の腕を拘束する腕拘束手段を左右に一組設け、さらに、前身頃と後身頃の周縁部に於いて、開閉手段が、首が突出する首部分及び左右の脚拘束部分から足が出る左右の足首部分を除き、左右に一組設けられていることを特徴とする対人用の拘束衣。【選択図】  図５
2006292293.tif 000002
【特許請求の範囲】
【請求項１】
人の胴体部分及び脚の部分を全体的に包むことができる大きさに形成された前身頃と後身頃と備え、前身頃と後身頃には、下端部の中央部に両身頃を一体的に結合すると共に、左右の脚拘束部分を区別する可撓性の補助用固定ベルを設け、また、拘束する人の左右の腕を拘束する腕拘束手段を左右に一組設け、さらに、前身頃と後身頃の周縁部に於いて、開閉手段が、首が突出する首部分及び左右の脚拘束部分から足が出る左右の足首部分を除き、左右に一組設けられていることを特徴とする対人用の拘束衣。
【請求項２】
請求項１に於いて、腕拘束手段は、手首を手錠の如く縛り付け得る可撓性腕ベルトを備えていることを特徴とする対人用の拘束衣。
【請求項３】
請求項１に於いて、前身頃及び後身頃の上端部の左右には、上下方向の肩渡しベルトを有する肩拘束手段が設けられていることを特徴とする対人用の拘束衣。
【請求項４】
請求項１に於いて、前身頃又は後身頃の下端部には、補助用固定ベルトと交差する左右方向にテープ状の脚拘束手段が設けられていることを特徴とする対人用の拘束衣。
【請求項５】
請求項１に於いて、腕拘束手段１６は、後身頃３の内側に基端部が固定された腕ベルト１６ａと、この腕ベルト１６ａの自由端部を外側に挿通するために周縁部４ａに形成された案内孔１６ｂと、後身頃３の外側に設けられた支持ベルト１６ｃと、支持ベルト１６ｃを介して折り返した後に腕ベルト１６ａの自由端部を巻き付けための固定用巻き付けベルト１６ｄをそれぞれ有しているとこを特徴とする対人用の拘束衣。
【請求項６】
人の胴体部分及び脚の部分を全体的に包むことができる大きさに形成された前身頃と後身頃と備え、前身頃と後身頃には、下端部の中央部に両身頃を一体的に結合すると共に、左右の脚拘束部分とを区別する可撓性の補助用固定ベルトを設け、また、拘束する人の左右の腕を拘束する腕拘束手段を一組設け、また、前身頃と後身頃の周縁部に於いて、開閉手段が、首が突出する首部分及び左右の脚拘束部分から足が出る左右の足首部分を除き、左右に一組設けられ、さらに、前身頃と後身頃の上部に設けた肩拘束手段に錠止具を取付け、該錠止具はキーにより解除し得ることを特徴とする対人用の拘束衣。
【請求項７】
請求項６に於いて、錠止具Ｘは、一方の身頃に固定された係止棒を有するベース体と、他方の身頃の上下方向の肩渡しベルト１９ａに固定されていると共に、該ベース体に対向するように押し付けられ、かつ、前記係止棒の係合頭部に対して内装バネのバネ力を利用して係合する左右の挟持型ロック片を備えた押圧方式の障害体を備えていることを特徴とする対人用の拘束衣。
【発明の詳細な説明】
【技術分野】
【０００１】
本発明は、例えば警察署の留置場内で使用される鎮静衣に適合する対人用の拘束衣に関する。
【背景技術】
【０００２】
特許文献１には、犯罪者の手を拘束する護送ベルトの一例が開示されている。この護送ベルトは、通称、「ベルト手錠」と称されている。このベルト手錠は、腰部に装着されるベルト本体及び手錠をベルト本体と連結する腰紐を介して手錠で左右の手首を拘束することができる利点を有するものの、拘束部位は、いわば局部的であり、例えば犯罪者の脚を拘束することができない。したがって、犯罪者はベルト手錠を装着したまま自由に動き廻ることができる。場合によっては、暴れ、或いは逃走も可能である。
【特許文献１】特開２００１−１８３０９０号公報
【発明の開示】
【発明が解決しようとする課題】
【０００３】
本発明の第１の目的は、犯罪者が自由に動き廻ることができない対人用の拘束衣を提供することである。第２の目的は、開閉手段を素早く閉じることができると共に、開閉手段を閉めると、左脚拘束部分と右脚拘束部分により脚が直ちに拘束され、足の自由が効かなくなることである。第３の目的は、首と左右の脚拘束部分から出た足を除き、胴体部分の全体を袋状に包み、両腕の自由も拘束することである。第４の目的は、特に、両腕の手首を縛り付けるように拘束することである。第５の目的は、肩の部分も拘束することができることである。第６の目的は、キーで錠止具Ｘのロックを解除しないと、肩腕拘束手段の拘束を解くことができないことである。その他、装着しても蒸れないこと、折り畳が可能であること、持ち運びが容易であること等の利点を有することである。
【課題を解決するための手段】
【０００４】
本発明の対人用の拘束衣１は、人の胴体部分及び脚の部分を全体的に包むことができる大きさに形成された前身頃２と後身頃３と備え、前身頃と後身頃には、下端部の中央部に両身頃を一体的に結合すると共に、左右の脚拘束部分を区別する可撓性の補助用固定ベル５，５ａを設け、また、拘束する人の左右の腕を拘束する腕拘束手段１６を左右に一組設け、さらに、前身頃と後身頃の周縁部に於いて、開閉手段１０が、首が突出する首部分及び左右の脚拘束部分から足が出る左右の足首部分を除き、左右に一組設けられていることを特徴とする。
【０００５】
上記構成に於いて、特に、腕拘束手段１６は、手首を手錠の如く縛り付け得る可撓性腕ベルト１６ａを備えていることを特徴とする。
【０００６】
また、本発明の対人用の拘束衣１Ａは、人の胴体部分及び脚の部分を全体的に包むことができる大きさに形成された前身頃２と後身頃３と備え、前身頃２と後身頃３には、下端部の中央部に両身頃２，３を一体的に結合すると共に、左脚拘束部分６と右脚拘束部分７とを区別する可撓性の補助用固定ベルト５，５ａを設け、また、拘束する人の左右の腕を拘束する腕拘束手段１６を左右に一組設け、また、前身頃２と後身頃３の周縁部４，４ａに於いて、開閉手段１０が、首が突出する首部分８及び左脚拘束部分６と右脚拘束部分７から足が出る左右の足首部分９，９を除き、左右に一組設けられ、さらに、前身頃２と後身頃３の上部に設けた肩拘束手段１９に錠止具Ｘを取付け、該錠止具Ｘはキーにより解除し得ることを特徴とする。
【０００７】
上記構成に於いて、錠止具Ｘは、一方の身頃に固定された係止棒を有するベース体と、他方の身頃の上下方向の肩渡しベルト１９ａに固定されていると共に、該ベース体に対向するように押し付けられ、かつ、前記係止棒の係合頭部に対して内装バネのバネ力を利用して係合する左右の挟持型ロック片を備えた押圧方式の障害体とを備えていることを特徴とする。
【発明の効果】
【０００８】
（１）人の胴体部分及び脚の部分を全体的に包むことができる大きさに形成された前身頃２と後身頃３と備えているので、犯罪者が自由に動き廻ることができない。
（２）また、下端部の中央部に両身頃２，３を一体的に結合すると共に、左脚拘束部分６と右脚拘束部分７とを区別する可撓性の補助用固定ベルト５，５ａを設けので、両身頃がバラバラに成らず、開閉手段を素早く閉じることができる。また、開閉手段を閉めると、左脚拘束部分と右脚拘束部分により脚が直ちに拘束され、足の自由が効かなくなる。したがって、犯罪者は暴れることができない。
（３）首と左右の脚拘束部分から出た足を除き、胴体部分の全体を袋状に包み、両腕の自由も拘束することができる。
（４）請求項２に記載の発明は、両腕の手首を縛り付けるように拘束することができる。
（５）請求項３に記載の発明は、身頃を肩の部分から脱ぐことができない。
（６）請求項４に記載の発明は、飛び跳ねる自由さえも奪うことができる。
（７）請求項５に記載の発明は、緩まないように、強固に縛り付けることができる。
（８）請求項６に記載の発明は、キーで錠止具Ｘのロックを解除しないと、肩腕拘束手段の拘束を解くことができない。
（９）請求項７に記載の発明は、障害体Ｌのロック状態の装着操作が簡単である反面、押圧キーが存在しない限り、容易にロック状態を解除して障害体を係止棒２１から取り外すことができない。また、一旦、ベース体の係止棒に障害体を装着したら、障害体は容易に係止棒から外れない。
【発明を実施するための最良の形態】
【０００９】
以下、図１乃至図１５に示す本発明を実施するための最良の形態（これを「第１実施例」とする）により説明する。
【００１０】
（１）拘束衣１の基本的構成
１は、例えば囚人の肩の部分から略足首の部分まで前身頃と後身頃を密着させるようにして装着し、かつ、左右の脚部や両腕（特に、手首）を拘束する対人用の拘束衣である。拘束衣１は、例えば警察署の留置場内で使用される鎮静衣に適合し、該拘束衣１は、人、好ましくは２０歳以上の囚人に対して、人権を阻害しない限度で着用する。
【００１１】
以下、網状型の鎮静衣１で説明する。鎮静衣１は、大きく区分けすると、胴体部分（ここでは、両腕部分を除く肩の部分、胸の部分、腹の部分、腰の部分を意味する）及び胴体に連設する脚の部分を全体的に包むことができる大きさに形成された前身頃２と後身頃３と有する。
【００１２】
前身頃２と後身頃３は、周縁部に可撓性の補強用テープ部材４，４ａと、下端部の中央部に可撓性の補助用固定ベルト５，５ａとを有している。前記固定ベルト５，５ａは前身頃２と後身頃３の下端部の中央部を縦（垂直）方向に一体的に結合（例えば逢着）し、かつ、左脚拘束部分６と右脚拘束部分７とに区別する。鎮静衣１は、布でも良いが、本実施例では、補強用テープ部材４，４ａ及び補助用固定ベルト５，５ａを除き、全体が蒸れないように網状に形成されている。
【００１３】
また、鎮静衣１の前身頃２と後身頃３は、周縁部（テープ部材も含む）４，４ａに於いて、人の首が突出する首部分８及び左脚拘束部分６と右脚拘束部分７から足が出る左右の足首部分９，９を除き、開閉手段の一例としてのフアスナーを介して開閉自在になっている。
【００１４】
本実施例では、務歯、スライダー、操作片を含む開閉手段１０，１０が、左右の周縁部４，４ａの首部分８の付近から足首部分９付近までそれぞれ一連に設けられている。
【００１５】
したがって、開閉手段１０としての左右のフアスナー１０，１０を閉じると、鎮静衣１は袋状となり、首部分８と左右の足首部分９，９が開口する。それ故に、囚人を鎮静衣１で包み、かつ、左右のフアスナー１０，１０を閉じると、囚人の首、頭及び左右の足が袋状の前身頃２と後身頃３からそれぞれ突出する反面、胴体部分、左右の脚及び左右の腕（特に、手首）も、前身頃２と後身頃３に全て包まれる。
【００１６】
本実施例では、後述するように、左右の手首、左右の脚及び左右の肩をそれぞれ拘束する構造である点にも特徴部分がある。鎮静衣１は、左右のフアスナー１０，１０を閉じた場合に十分に強度に耐える得る素材で形成されている。
【００１７】
（２）左右の腕を拘束する腕拘束手段
腕拘束手段１６は、本実施例では、手錠の如く「手首」を拘束する。図７は、後身頃３の内側左右の部位にそれぞれ設けられたベルト状の腕拘束手段１６，１６を後身頃３の外側から締め付け、後身頃３の内側に存在する囚人１１の左右の手首１２を鎮静衣１の内側で拘束した状態を示す。
【００１８】
そこで、図５及び図６を参照にして、腕拘束手段１６及び該腕拘束手段の固定（拘束）方法の一例を説明する。図５（ａ）は後身頃３を外側から見た斜視図、一方、図５（ｂ）は後身頃３を内側から見た斜視図である。したがって、図５は、後身頃３を外側（ａ）と内側（ｂ）からそれぞれ示した概略説明図である。
【００１９】
さて、図５（ａ）を基準にすると、１６は後身頃３の胴体部分３ａの左側に設けられた左手首拘束手段である。したがって、１７は前記胴体部分３ａの右側に設けられた右手首拘束部材となる。ここでは、左手首拘束部材１６の具体的構成を説明し、右手首拘束部材１７の重複する説明を割愛する。
【００２０】
しかして、左手首拘束部材１６は、後身頃３の内側に基端部が固定（逢着）された所定長さの可撓性腕ベルト１６ａと、この腕ベルト１６ａの自由端部を外側に挿通するために周縁部４ａに形成された縦方向の案内孔１６ｂと、後身頃３の外側に所要間隔離間して設けられた左右方向の２個のループ型支持ベルト１６ｃと、これらの支持ベルト１６ｃの少なくとも一つに対して折り返した後に腕ベルト１６ａの自由端部を巻き付けるために前記２個のループ型支持ベルト１６ｃ，１６ｃの間に設けられた固定用巻き付けベルト１６ｄをそれぞれ有している。
【００２１】
なお、縦方向の案内孔１６ｂは、例えば網状の胴体部分３ａの左側に固定（逢着）した矩形状の可撓性補強板１６ｅに形成されている。
【００２２】
図６は、一方の腕拘束手段１６の固定（拘束）方法を概略的に示した説明図である。同図は胴体部分３ａの左側部位の横断面に於いて、平面側から左手首拘束部材１６を見た状態の概略を示す。
【００２３】
手首の固定する場合に於いて、まず、腕ベルト１６ａの自由端部を案内孔１６ｂに通す。そうすると、手錠の如く、手首を縛り付けるための輪が出きる。次に、案内孔１６ｂを介して後身頃３の外側に引き出した腕ベルト１６ａの自由端部を周縁部４ａ側に位置する支持ベルト１６ｃの内側から差し込むように挿通させる。次いで、腕ベルト１６ａの自由端部を胴体部分３ａの中央部側に位置する支持ベルト１６ｃの内側（支持ベルト１６ｃと後身頃との間）に差し込むように挿通させ、かつ、そこで折り返して自由端部を引っ張る。この時、手首は腕ベルト１６ａの前記輪で締め付けられる。そして、手首を適宜に締め付けたならば、腕ベルト１６ａの自由端部を固定用巻き付けベルト１６ｄで巻き付ける。
【００２４】
なお、腕拘束手段１６を構成する各部材の必要な箇所は、本実施例では面ファスナーのオスとメスとなっている。
【００２５】
（３）開閉手段１０
開閉手段１０は、前述したように、鎮静衣１の前身頃２と後身頃３の周縁部４，４ａに於いて、人の首が突出する首部分８及び左脚拘束部分６と右脚拘束部分７から足が出る左右の足首部分９，９を除き、左右一対設けられている。ここでは、図８及び図９を参照にして一つの開閉手段１０を説明し、他方の開閉手段１０の開閉態様については割愛する。
【００２６】
開閉手段１０は、本実施例では、フアスナーを採用している。フアスナー１０は、周知のように、対応する務歯１０ａ、該務歯１０ａを摺動するスライダー１０ｂ、該スライダー１０ｂの係合部に可動自在に取り付けられた操作片１０ｃを有している。前身頃２と後身頃３の周縁部４，４ａは、開閉手段１０の操作片１０ｃを操作して、例えば上方（図８）から下方へと引くと、図９で示すように袋状に閉じる。この時、図１０で示すように、囚人の左右の脚１３は、縁部が閉じた左右の脚拘束部分６，７に拘束される。
【００２７】
（４）脚拘束手段１７
本実施例では、前身頃２又は後身頃３の下端部（下端部寄りの部位も含む）に設けられた脚拘束手段１７は、必ずしも発明の限定要件ではないが、望ましくは、図３、図１１及び図１２で示すように、ベルト状の脚拘束手段１７を前身頃２又は後身頃３の外側（表側）の寄りの部位に左右方向に設ける。図３を基準にすると、脚拘束手段１７の中央部は、縦方向の補助用固定ベルト５と直交した状態で固定（逢着）されている。
【００２８】
脚拘束手段１７の長さは、当然のことながら、囚人の左右の脚１３を巻き付けることができるように所要の長さに設定されている。また、脚拘束手段１７の一端部には、矩形状の固定用巻き付部分１８が設けられており、図１２で示すように、脚拘束手段１７の両端部を鎮静衣１の裏側へと巻き付けた場合に於いて、前記固定用巻き付部分１８を腕拘束手段１６の固定用巻き付けベルト１６ｄと同様に適宜に巻き付ける。したがって、本実施例の脚拘束手段１７も腕拘束手段１６と同様に、必要な箇所は面ファスナーのオスとメスとなっている。
【００２９】
（５）肩拘束手段１９
本実施例では、肩拘束手段１９は、必ずしも発明の限定要件ではないが、望ましくは、図３、図１３及び図１４で示すように、ベルト状の肩拘束手段１９を鎮静衣１の胴体部分３ａの左右の部位に一組設ける。
【００３０】
この肩拘束手段１９は、図３で示すように、一端部が前身頃２の上端部の外側に固定（逢着）された上下方向の肩渡しベルト１９ａと、図１３及び図１４で示すように、後身頃３に上下方向に固定された固定用のループ型ベルト１９ｂとから成り、ループ型ベルト１９ｂは、さらに、肩渡しベルト１９ａの自由端部を巻き付けることができる矩形状幅広の固定用巻き付部分１９ｃを有している。本実施例の肩拘束手段１９も脚拘束手段１７や腕拘束手段１６と同様に、必要な箇所は面ファスナーのオスとメスとなっている。
【実施例】
【００３１】
本発明の第１実施例に於いて、拘束衣１を囚人等の人に装着して身体の自由を拘束することができるが、人が拘束衣１内である程度動けるようにしても良い。したがって、拘束衣１は、脚と腕の自由を同時に奪うことができるものの、補助用固定ベルや腕を拘束する腕拘束手段は、必要最低限度のもので良い。
【００３２】
この欄では、図１６乃至図２４に示す本発明の第２実施例について説明する。なお、第２実施例の説明に当たって、前記第１実施例と同一の部分には、同一又は同様の符号を付して重複する説明を省略する。
【００３３】
第２実施例の対人用の拘束衣１Ａが第１実施例と主に異なる点は、前身頃２と後身頃３の上部に設けた肩腕拘束手段１９に錠止具Ｘを取付け、該錠止具Ｘは押圧キーＫにより解除し得るようにしたことである。
【００３４】
具体的には、錠止具Ｘは、一方の身頃（例えば後身頃）３の肩拘束手段１９のループ型ベルト１９ｂに固定された係止棒２１を有するベース体Ｂと、他方の身頃（例えば前身頃）２の上下方向の肩渡しベルト１９ａに固定されていると共に、ベース体Ｂに対向するように押し付けられ、かつ、前記係止棒２１の係合頭部２１ｂに対して内装バネのバネ力を利用して係合する左右の挟持型ロック片２７，２７を備えた押圧方式の障害体Ｌと、ベース体Ｂに係止棒２１を介してロック状態に合体した該障害体Ｌを取り外す時に、前記ロック片２７の対向端面のキー挿入用開口２２に押圧方式で差し込まれ、かつ、左右のロック片を内装バネ２６のバネ力に抗して均等に押し広げる一対の係合爪片４２，４２を有する押圧キーＫとから成る。以下、図面を参照にして、錠止具Ｘの具体的構成に沿って説明する。
【００３５】
（ａ）ベース体Ｂ
ベース体Ｂは、図１６及び図１７で示すように、ループ型ベルト１９ｂに、その係合頭部２１ｂが外側に突出するように該ベルト１９ｂに固定的に取り付けられている。係止棒２１の基端部２１ａは、後身頃の外側とベルト１９ｂの内面との間に位置するベース体Ｂに固定されている。ベース体Ｂの形状は、特に限定するものではなく、望ましくは長板状に形成される。
【００３６】
図１８で示すように、支軸の機能を有する係止棒２１は、突出先端部にフラット又は傘状の係合頭部２１ｂが形成されている。係止棒２１の長さは特に限定するものではないが、少なくとも、障害体Ｌが、係合頭部２１ｂによってロック状態に係止される所要の長さが必要である。
【００３７】
したがって、障害体Ｌの肉厚に対応して係止棒２１の軸部の長さが設定される。本実施例の係止棒２１の係合頭部２１ｂはフラットに形成されていると共に、首部に相当する部分には周溝２３が形成されている。係合頭部２１ｂと基端部２１ａは同径である。
【００３８】
（ｂ）障害体Ｌ
錠止具Ｘの障害体の具体的構成は、本発明の限定要件ではない。しかしながら、錠止具Ｘの構成自体が新規事項なので、便宜上、説明する。
【００３９】
障害体Ｌは、例えば図２２で示すように、底板３２と、この底板３２の上面に重ねられる中板３３と、この中板３３の上面に重ねられる上板３４と、固定手段３５を介して一体的に結合した各板の外表面をカバーするように嵌着する環状カバー３６と、中板３３の左右の案内部（長孔状開口）内に組み込まれ、かつ、左右の内装バネ２６．２６のバネ力を利用して係止棒２１の係合頭部２１ａに対して係合する左右の挟持型ロック片２７．２７とから成る。
【００４０】
障害体Ｌは、望ましくは円形又は角形の盤状に形成され、掌に乗せて握り締めることができる大きさに形成されている。
【００４１】
底板３２、中板３３及び上板３４は、積層状態に合体（結合）した後に、環状カバー３６で包まれる。そのために、略同一の形状に形成され、また寸法（径）も同一である。本実施例では、各板は、メダル、コイン等の円盤状に形成され、大きさも遊技機の投入コイン程度である。
【００４２】
また、底板３２、中板３３及び上板３４周端部には、固定手段の一例である複数個のカシメ用連結ピン３５が嵌入する貫通小孔（便宜上同一の符号を付す）３７が左右に離間して形成されている。
【００４３】
中板３３は、底板３２と上板３４にサンドイッチ状に介在している。この中板３３の開口（押圧キーＫ挿入用の開口）２２内に付勢バネ２６と、該付勢バネ２６によって常時ストッパー部分に当接するように付勢されている左右一対の挟持型ロック片２７．２７が組み込まれている。
【００４４】
なお、押圧キーＫが入り込むことが可能な各板３２，３３，３７の開口の具体的に形状については、発明の限定要件ではないので、その詳細な説明を割愛する。
【００４５】
さて、中板３３の中央部ないし周端部寄りの部位まで形成された中板開口２２には、左右一対の内装バネ２６．２６と、これらの内装バネ２６．２６に常時係合方向に付勢される左右一対の挟持型ロック片２７．２７とが組み込まれる。そのために、底板開口２２の中心開口と連通する中心開口を基準にして一対の突起状ストッパー部分３８．３８が設けられている。
【００４６】
また、これらのストッパー部分３８．３８と交差する方向の部位にそれぞれ切欠状のバネ収納部分３９．３９が形成されている。紙面上、中心部に位置する上下のストッパー部分３８．２３を基準にすると、中心開口及び左右のバネ収納部分３９．３９とそれぞれ交差状に連通する左右の長孔状開口には、左右の挟持型ロック片２７．２７がそれぞれ余裕を持って収納される。ここで「余裕を持って」とは、左右の挟持型ロック片２７．２７がそれぞれの内装バネ２６．２６のバネ力に抗して半径外方向へ所要量後退可能であることを意味する。したがって、左右の長孔状開口は、挟持型ロック片２７用の案内部分である。
【００４７】
次に、上板３４の中央部には、矩形状上板開口２２が形成されている。この上板開口２２も、係止棒２１の係合頭部２１ｂ及び押圧キーＫの一対の係合爪片４２．４２がそれぞれ嵌入可能な嵌合部であることから、所要の大きさに設定されている。なお、上板開口２２の形状は矩形状である必要はなく、円形でも良い。
【００４８】
次に環状カバー３６は硬質の合成樹脂材でキャップ状に形成され、比較的大きな中心孔４０を有する上壁の環状部分４１ａと、この環状部分に連設し、かつ、底板３２、中板３３及び上板３４の外周壁を完全に包む周壁部分４１ｂとから成る。
【００４９】
次に、挟持型ロック片２７．２７は、図２２で示すように左右対称の長杆或いは長板片である。これらのロック片２７．２７の対向中心部は、係止棒２１の係合頭部２１ｂの外周形状（例えば円形）に対応して弧状の切欠部分を有している。
【００５０】
また、本実施例の係止棒２１の係合頭部２１ｂはフラットなフランジ状に形成されていることから、各切欠部分の切欠端面は、係合頭部２１ｂに摺接することができるように傾斜状部分（摺接面）に形成されている。もちろん、前記摺接関係は、係合頭部２１ｂを傘状に形成することにより可能である。
【００５１】
（ｃ）キーＫ
図２１及び図２２に押圧のキーＫの一例を示す。押圧キーＫは、ベース体Ｂに係止棒２１を介してロック状態に合体した障害体Ｌを取り外す時に、左右のロック片２７．２７の対向端面で形成されている上下のキー挿入用開口２２に差し込まれ、かつ、左右のロック片２７．２７を内装バネ２６．２６のバネ力に抗して均等に押し広げる一対の係合爪片４２．３２を有する。
【００５２】
しかして、図２１は、押圧キーＫを裏返した斜視図であるが、この斜視図から明らかなように、前記の挿入先端部は、将棋の駒の如く、それぞれ山形状に形成されている。また、一対の係合爪片４２，４２は、断面コ字に形成され、円形状の押圧壁４３の内壁面の中央部に溶着されている。また、押圧壁４３には半径外方向に延びる摘み部分４４が連設している。なお、押圧キーＫの押圧壁４３や摘み部分４４の形状は、一例であり、例えば押圧壁４３を杆状に設計変更しても良い。
【００５３】
（ｄ）作用…ロックとロック解除
本発明に構成を付加した錠止具Ｘのロックとロック解除について説明する。まず、障害体Ｌを係止棒２１にロック状態に取付ける場合には、図２３で示すように、肩渡しベルト１９ａに取付けた障害体Ｌを指で摘んで、ループ型ベルト１９ｂ側の係止棒２１の係合頭部２１ａに底板３２の中心開口２２を嵌めるようにする。底板３２の中心開口２２を係合頭部２１ａに嵌めると、左右の挟持型ロック片２７．２７は、上板開口２２の中心部へと進出していることから、係合頭部２１ａの周端部分に左右のロック片２７．２７の各切欠部分の切欠端面の傾斜状部分（摺接面）が跨ぐように当接する。
【００５４】
そこで、そのまま押圧キーＫの押圧壁４３の外壁面を、例えば親指で押し込む。そうすると、左右の挟持型ロック片２７．２７は、係合頭部２１ｂに傾斜状部分（摺接面２７．２７）が摺接するに連れて内装バネ２６．２６のバネ力に抗して後退する。そして、係合頭部２１ｂが上板開口２２へと突き出でた瞬間に左右の挟持型ロック片２７．２７は、左右の内装バネ２６．２６のバネ力により元の位置へと復帰し、各切欠部分の切欠端面が係止棒２１の首部に圧接する。これがロック状態である（障害体Ｌが係合頭部２１ｂに係止される）。
【００５５】
したがって、障害体Ｌをベース体Ｂから取り外そうとしても、障害体Ｌは、左右の挟持型ロック片２７．２７を介して係合頭部２１ｂに係止されることから、ロック状態を解消させる合鍵が存在しない限り、容易に取り外すことができない。
なお、障害体Ｌがベース体Ｂに係止棒２１を介してロック状態に合体した場合には、障害体Ｌは係止棒２１を軸にして回転自在である。
【００５６】
一方、ベース体Ｂの係止棒２１から障害体Ｌを取り外す時は、押圧キーＫを用いる。図２４はロック解除の場合を示す。ロック解除時、まず、図２４で示すように押圧キーＫの押圧壁４３を指で摘んで、一対の対向する係合爪片４２．４２を上下のキー挿入用開口２２に宛がうようにする。
【００５７】
しかる後に、押圧壁４３を障害体Ｌに向かって押し込む。そうすると、押圧キーＫの各係合爪片４２．４２の先端部分が山形状に形成されていることから、押圧キーＫを障害体Ｌに対して押し込むに連れて各係合爪片４２．４２の先端部分が左右の挟持型ロック片２７．２７を押し退けるように入り込む。この時、ロック片２７．２７の両端部がバネ力により各係合爪片４２．４２に圧接している。これがロック解除の状態である。そこで、そのまま障害体Ｌを摘んで係止棒２１から取り外す。
【００５８】
この第２実施例は、押圧キーＫで錠止具Ｘのロックを解除しないと、肩腕拘束手段１９の拘束を解くことができないという利点を加味することができる。
【産業上の利用可能性】
【００５９】
本発明は、主に犯人、犯罪者、刑務所に留置されている囚人等の身柄を拘束する際に利用され、特に警察の留置場で囚人に対して用いられる。
【図面の簡単な説明】
【００６０】
図１乃至図１５は本発明の最良の実施例を示す各説明図。図１６乃至図２４は本発明の第２実施例の各説明図（特に錠止具の構造）。
【図１】拘束時、拘束衣の前身頃を跨いだ状態の概略説明図。
【図２】拘束衣を開いた状態の説明図。
【図３】前身頃の外側を示す説明図。
【図４】後身頃の外側を示す説明図。
【図５】図５（ａ）は後身頃の外側、図５（ｂ）は後身頃の内側をそれぞれ示す概略説明図。
【図６】腕ベルトの固定方法の概略説明図。
【図７】腕拘束手段で左右の手首を拘束した状態の説明図。
【図８】開閉体を閉じる時の概略説明図。
【図９】開閉体を閉じた時の概略説明図。
【図１０】開閉体を閉じた場合に於いて、要部を前身頃の外側から見た場合に説明図。
【図１１】図１０に於いて、脚拘束手段で左右の脚拘束部分を縛り付けた初期段階の説明図（後身頃の外側から見ている）。
【図１２】図１１に於いて、さらに、脚拘束手段を完全に固定した段階の説明図。
【図１３】肩拘束手段の構成を示す概略説明図。
【図１４】肩拘束手段の固定方法の概略説明図。
【図１５】拘束衣で人を拘束した状態の説明図。
【図１６】拘束衣の肩拘束手段に錠止具を取り付けた一例を示す説明図。
【図１７】図１６に於いて、錠止具の取付け箇所を示す概略説明図。
【図１８】ベース体の係止棒の説明図。
【図１９】錠止具の内部構造を示す概略断面説明図。
【図２０】錠止具の内部構造を示す縦断面図。
【図２１】押圧キーを裏返した斜視図。
【図２２】障害体の分解斜視図（押圧キーも含む）。
【図２３】障害体を係止棒に係止させる時に概略説明図（ロック時）。
【図２４】押圧キーを障害体に対して押し込み、係合爪片でロックを解除した概略説明図（ロック解除時）。
【符号の説明】
【００６１】
1，１Ａ…拘束衣、２…前身頃、３…後身頃、３ａ…胴体部分、４，４ａ…周縁部（補強用テープ部材）、５，５ａ…補助用固定ベルト、６…左脚拘束部分、７…右脚拘束部分、８…首部分、９…足首部分、１０…開閉手段、１１…囚人、１２…手首、１３…脚、１６…腕拘束手段（左手首拘束部材，右手首拘束部材）、１６ａ…腕ベルト、１６ｂ…案内孔、１６ｃ…ループ型支持ベルト、１６ｄ…固定用巻き付けベルト、１６ｅ…可撓性補強板、１７…脚拘束手段、１８…固定用巻き付部分、１９…肩拘束手段、１９ａ…肩渡しベルト、１９ｂ…固定用のループ型ベルト、１９ｃ…固定用巻き付部分、Ｘ…錠止具、Ｂ…ベース体、２１…係止棒、２１ｂ…係合頭部、Ｌ…障害体、２２…キー挿入用開口、２６…内装バネ、２７…挟持型ロック片、４１、Ｋ…押圧キー、４２…係合爪片。
【図１】
2006292293.tif 000003
【図２】
2006292293.tif 000004
【図３】
2006292293.tif 000005
【図４】
2006292293.tif 000006
【図５】
2006292293.tif 000007
【図６】
2006292293.tif 000008
【図７】
2006292293.tif 000009
【図８】
2006292293.tif 000010
【図９】
2006292293.tif 000011
【図１０】
2006292293.tif 000012
【図１１】
2006292293.tif 000013
【図１２】
2006292293.tif 000014
【図１３】
2006292293.tif 000015
【図１４】
2006292293.tif 000016
【図１５】
2006292293.tif 000017
【図１６】
2006292293.tif 000018
【図１７】
2006292293.tif 000019
【図１８】
2006292293.tif 000020
【図１９】
2006292293.tif 000021
【図２０】
2006292293.tif 000022
【図２１】
2006292293.tif 000023
【図２２】
2006292293.tif 000024
【図２３】
2006292293.tif 000025
【図２４】
2006292293.tif 000026